(57)【要約】【課題】噛み合い強度が高く、つなぎ部での強度も低下しないリクライニング装置を提供することを課題とする。【解決手段】ラチェット１３０の内歯１３３と、ベースプレート１００側に設けられ、内歯１３３と噛合可能な外歯１４１を有するポール１４０と、を有したリクライニング装置において、内歯１３３は、アッパアームの回転中心軸に沿って離れるに従って、アッパアームの回転中心軸からの距離が長くなる第１斜面Ｓ１上に形成され、外歯１４１は、第１斜面Ｓ１と平行なポール１４０の第２斜面Ｓ２上に形成されている。【選択図】図１
2010035975.tif 000002
【特許請求の範囲】
【請求項１】
シートクッション側に設けられたロアアーム，該ロアアームに対して回転可能に設けられ、シートバック側に設けられるアッパアームのうちのどちらか一方に設けられ、前記アッパアームの回転平面と平行な面上で、前記アッパアームの回転中心軸を中心とした円周上に形成された内歯と、
前記ロアアーム、前記アッパアームのうちのどちらか他方に設けられ、前記内歯と噛合可能な外歯を有するポールと、
前記ロアアーム、前記アッパアームのうちのどちらか他方に設けられ、前記アッパアームの回転平面と平行な面上で、前記ポールを前記アッパアームの回転中心軸を中心とした円の半径方向に案内して、前記ポールの外歯を前記内歯に噛合／離反させるガイドと、
前記ポールの外歯が前記内歯に噛合する方向に前記ポールを付勢する付勢手段と、
を有したリクライニング装置において、
前記内歯は、前記内歯が設けられたアームから、前記アッパアームの回転中心軸に沿って離れるに従って、前記アッパアームの回転中心軸からの距離が長くなる第１斜面上に形成され、
前記外歯は、前記第１斜面と平行な前記ポールの第２斜面上に形成されたことを特徴とするリクライニング装置。
【発明の詳細な説明】
【技術分野】
【０００１】
本発明は、シートクッション側に設けられたロアアーム，該ロアアームに対して回転可能に設けられ、シートバック側に設けられるアッパアームのうちのどちらか一方に設けられ、前記アッパアームの回転平面と平行な面上で、前記アッパアームの回転中心軸を中心とした円周上に形成された内歯と、前記ロアアーム、前記アッパアームのうちのどちらか他方に設けられ、前記内歯と噛合可能な外歯を有するポールと、前記ロアアーム、前記アッパアームのうちのどちらか他方に設けられ、前記アッパアームの回転平面と平行な面上で、前記ポールを前記アッパアームの回転中心軸を中心とした円の半径方向に案内して、前記ポールの外歯を前記内歯に噛合／離反させるガイドと、前記ポールの外歯が前記内歯に噛合する方向に前記ポールを付勢する付勢手段とを有したリクライニング装置に関する。
【背景技術】
【０００２】
リクライニング装置として、例えば、図６〜図８に示すような構成のものがある。図６は従来のリクライニング装置の一部破断図、図７は図６の切断線Ａ−Ａでの断面図、図８は図７の切断線Ｂ−Ｂでの断面図である。これらの図において、シートクッション側のロアアームに設けられるベースプレート１には、ヒンジピン３を介してシートバック側のアッパアームに設けられるラチェット５が回転可能に取り付けられている。ラチェット５には、ラチェット５（アッパアーム）の回転平面と平行な面上で、アッパアームの回転中心軸であるヒンジピン３を中心とした円周上に内歯７が形成されている。
【０００３】
ベースプレート１とラチェット５との間には、内歯７に噛合可能な外歯９を有するポール１１が配置される。  ベースプレート１には、ラチェット５（アッパアーム）の回転平面と平行な面上で、ポール１１をアッパアームの回転中心軸であるヒンジピン３を中心とした円の半径方向に案内して、ポール１１の外歯９を内歯７に噛合／離反させるガイド１３，１３’が形成されている。
【０００４】
また、ヒンジピン３には、ポール１１の背部を押して、ポール１１の外歯９をラチェット５の内歯７に噛合させるカム１５がヒンジピンと一体となって回転するように取り付けられている。更に、このカム１５には内端部がベースプレート１に係止されたスパイラルスプリング１７の外端部が係合し、カム１５はポール１１の外歯９がラチェット５の内歯７に噛合する方向（ロック方向）に付勢されている。
【０００５】
ヒンジピン３が挿通する穴を有する円板状のレリーズプレート２１は、ヒンジピン３の軸方向において、カム１５、ポール１１、ガイド１３，１３’と積層されるように配置される。一方、カム１５には、レリーズプレート２１の穴２１ａに嵌合可能な突起１５ａが形成され、レリーズプレート２１とカム１５とは一体となって回転するようになっている。
【０００６】
ポール１１のラチェット５（アッパアーム）の回転平面と平行な面には、レリーズプレート２１に形成されたカム溝２１ｂに係合する凸部１１ａが形成されている。このカム溝２１ｂの形状は、レリーズプレートが図６において、反時計方向に回転するとポール１１の外歯９がラチェット５の内歯７から離れる方向にポール１１を移動させる形状に設定されている（例えば、特許文献１参照）。
【特許文献１】特開２００１−８７０７１号公報（図１〜図３）
【発明の開示】
【発明が解決しようとする課題】
【０００７】
図６−図８に示すリクライニング装置において、内歯７と、この内歯７に噛合する外歯９との噛み合い強度は、歯幅（図７におけるＨ寸法）と噛み合い枚数とで決定される。よって、内歯７の歯幅（Ｈ）を広くとり、内歯７の歯幅に応じてポール１１の外歯９の歯幅も広くすれば、内歯７と外歯９との噛み合い強度は高くなる。
【０００８】
しかし、内歯７は、ラチェット５３を回転中心軸（ヒンジピン３）方向にプレス加工（絞り加工）することにより形成される。即ち、内歯７は、リクライニング装置の回転中心軸と平行な面に形成されている。
【０００９】
このような場合、内歯７の歯幅（Ｈ）を大きくすると、つなぎ部（プレス加工された箇所とプレス加工されていない箇所とを連絡する部分：図７におけるＴ部）が薄くなり、つなぎ部Ｔの強度が低下する問題点がある。
【００１０】
本発明は、上記問題点に鑑みてなされたもので、その課題は、噛み合い強度が高く、つなぎ部での強度も低下しないリクライニング装置を提供することにある。
【課題を解決するための手段】
【００１１】
上記課題を解決する請求項１に係る発明は、シートクッション側に設けられたロアアーム，該ロアアームに対して回転可能に設けられ、シートバック側に設けられるアッパアームのうちのどちらか一方に設けられ、前記アッパアームの回転平面と平行な面上で、前記アッパアームの回転中心軸を中心とした円周上に形成された内歯と、前記ロアアーム、前記アッパアームのうちのどちらか他方に設けられ、前記内歯と噛合可能な外歯を有するポールと、前記ロアアーム、前記アッパアームのうちのどちらか他方に設けられ、前記アッパアームの回転平面と平行な面上で、前記ポールを前記アッパアームの回転中心軸を中心とした円の半径方向に案内して、前記ポールの外歯を前記内歯に噛合／離反させるガイドと、前記ポールの外歯が前記内歯に噛合する方向に前記ポールを付勢する付勢手段と、を有したリクライニング装置において、前記内歯は、前記内歯が設けられたアームから、前記アッパアームの回転中心軸に沿って離れるに従って、前記アッパアームの回転中心軸からの距離が長くなる第１斜面上に形成され、前記外歯は、前記第１斜面と平行な前記ポールの第２斜面上に形成されたことを特徴とするリクライニング装置である。
【００１２】
通常、付勢手段の付勢力により、ポールの外歯は内歯に噛合し、アッパアームのロアアームに対する回転は禁止されている（ロック状態）。
付勢手段の付勢力に抗して、ガイドに沿って外歯が内歯より離れる方向にポールを移動させると、外歯と内歯との噛合が解除され、アッパアームはロアアームに対して回転可能となる（ロック解除状態）。
【００１３】
アッパアームを所望の位置まで回転させた後、ポールを移動させる力を解除すると、付勢手段の付勢力によりポールはガイドに案内されて移動し、ポールの外歯が内歯に噛合して、アッパアームのロアアームに対する回転は再び禁止される。
【発明の効果】
【００１４】
請求項１に係る発明によれば、前記内歯は、前記内歯が設けられたアームから、前記アッパアームの回転中心軸に沿って離れるに従って、前記アッパアームの回転中心軸からの距離が長くなる第１斜面上に形成されることにより、内歯をプレス加工により形成する場合、従来のように、アッパアームの回転中心軸と平行な面に内歯を形成する場合に比べて、つなぎ部が薄くならないで、内歯の歯幅を広くとることが可能となる。
【００１５】
そして、前記外歯を前記第１斜面と平行な前記ポールの第２斜面上に形成することにより、内歯と外歯との噛み合い強度が高く、つなぎ部での強度も低下しないリクライニング装置となる。
【００１６】
また、プレス加工で内歯を形成する場合、傾斜面を作るようなプレス加工であるので、プレス加工性がよい。
更に、同じ噛み合い強度ならば、従来よりもリクライニング装置の薄型化が図れる。
【発明を実施するための最良の形態】
【００１７】
図２〜図５を用いて本発明の実施の形態例を説明する。図２は本形態例のリクライニング装置の外観を示す図、図３は図２の切断線Ｃ−Ｃでの断面図、図４は図２の切断線Ｅ−Ｅでの断面図、図５は図４のレリーズプレートを取り除いた図である。
【００１８】
図３に示すように、本形態例のリクライニング装置では、シートクッション側のロアアーム２０１にベースプレート１００が取り付けられ、シートバック側のアッパアーム２０
２に、ラチェット１３０が取り付けられる。
【００１９】
図２〜図３に示すように、円板状のベースプレート１００の外周部分には、ベースプレート１００の回転軸方向に折曲されたラチェット保持部１００ｂが形成され、更に、ベースプレート１００の外周部とラチェット１３０の外周部とに設けられた取り付け金具２０５により、円板状のベースプレート１００と円板状のラチェット１３０とは、相対回転可能に接合されている。ラチェット保持部１００ｂは回転軸と直行する方向のベースプレート１００とラチェット１３０との移動を禁止し、取り付け金具２０５は、回転軸方向のベースプレート１００とラチェット１３０との移動を禁止するものである。ベースプレート１００、ラチェット１３０の回転中心軸が通る部分には、穴１０１、穴１３１が形成され、これら穴１０１、穴１３１をピン１２０が挿通している。
【００２０】
ラチェット１３０のベースプレート１００との対向面には、図３に示すように、ラチェット１３０の回転中心軸を中心とする略円形の凹部１３２が形成され、該凹部１３２の内周面には内歯１３３が刻設されている。
【００２１】
ベースプレート１００上の、ラチェット１３０の凹部１３２との対向面にも、図３に示すように、凹部１０４が形成され、図４に示すように凹部１０４の底面上部には、ラチェット１３０に向けてガイド突起１０５，１０６が突設され、底面下部にも、ラチェット１３０に向けてガイド突起１０７，１０８が突設されている。
【００２２】
ベースプレート１００におけるラチェット１３０側とは反対側の面には、シートクッション側のロアアーム２０１に取り付けるための複数の結合用突起１００ａが、穴１０１（ラチェット１３０の傾動中心）を中心とする同一円周上に等間隔で配設されている。一方、ラチェット１３０におけるベースプレート１００側とは反対側の面には、シートバック側のアッパアーム２０２に取り付けるための複数の結合用突起１３０ａが、穴１３１（ラチェット１３０の傾動中心）を中心とする同一円周上に等間隔で配設されている。
【００２３】
ポール１４０は、図４に示すように、ガイド突起１０５，１０６のガイド面１０５ａ，１０６ａに挟まれて、ラチェット１３０の回転中心軸と直交する方向に摺動案内され、前端部の外歯１４１がラチェット１３０の内歯１３３に噛合できるように構成されている。
【００２４】
ポール１５０についても同様に、ガイド突起１０７，１０８のガイド面１０７ａ，１０８ａに挟まれて、ラチェット１３０の回転中心軸と直交する方向に摺動案内され、前端部の外歯１５１がラチェット１３０の内歯１３３に噛合できるように構成されている。
【００２５】
ピン１２０の中間部には、断面小判形部分１２３が形成され、この断面小判形部分１２３には、カム１７０の小判穴１７１が嵌合している。このため、ピン１２０には、カム１７０が相対回転不可状態に嵌合していることになる。
【００２６】
カム１７０は、ピン１２０と共に回転し、図５に示すように、上部に３箇所、下部に３箇所の押圧部１７４ａ，１７４ｂ，１７４ｃ，１７５ａ，１７５ｂ，１７５ｃが形成されている。３箇所の押圧部のうち、真ん中の押圧部１７４ｂ，１７５ｂでもって、ポール１４０，１５０の背面１４２，１５２をその外歯１４１，１５１方向に押して、ポール１４０，１５０の外歯１４１，１５１をラチェット１３０の内歯１３３に噛合させるものである。残りの押圧部１７４ａ，１７５ａ、押圧部１７４ｃ，１７５ｃは、衝突等で、ポール１４０，１５０が傾いた場合に、当接して、それ以上のポール１４０，１５０の傾きを禁止するように設定されている。
【００２７】
図３、図４に示すように、回転中心軸に沿って設けられたピン１２０の軸方向で
、レリーズプレート１８０は、カム１７０、ポール１４０，１５０、ガイド突起１０５，１０６，１０７，１０８と積層される位置に配置されると共に、ピン１２０が挿通する穴１８１が形成されている。
【００２８】
図４、図５に示すようにカム１７０には、ラチェット１３０側に突き出た突起１７６，１７７が形成されており、この突起１７６，１７７がレリーズプレート１８０の穴１８０の縁部に形成され半径方向に延出する小長穴１８２，１８３に嵌合されている。このため、カム１７０とレリーズプレート１８０とは連動して回転することになる。
【００２９】
図３、図４に示すように、レリーズプレート１８０には、ポール１４０，１５０のラチェット１３０（アッパアーム）の回転平面に向かって突出する凸部１８３，１８４が形成されている。
【００３０】
一方、図３、図５に示すように、ポール１４０，１５０のラチェット１３０（アッパアーム）の回転平面と平行な面には、レリーズプレート１８０の凸部１８３，１８４が係合し、レリーズプレート１８０が回転することにより、ポール１４０，１５０の外歯１４１，１５１がラチェット１３０の内歯１３３より離れる方向にポール１４０，１５０を移動させる形状に設定された側壁面を有する凹部としてのカム溝１４４，１５４が形成されている。
【００３１】
図４、図５に示すように、付勢手段としてのスパイラルスプリング１９１，１９５は、内端がベースプレート１００のフック１１１，１１２に掛止され、外端がカム１７０の段部１７８，１７９に掛止され、カム１７０がポール１４０，１５０の背面を押すようにカム１７０を回動付勢するものである。
【００３２】
そして、本形態例では、図１に示すように、内歯１３３は、傾斜角（θ１）が約４５度で、ラチェット１３０から、ラチェット１３０（アッパアーム）の回転中心軸（ピン１２０）に沿って離れるに従って、回転中心軸からの距離が長くなる第１斜面Ｓ１上に形成されている。
【００３３】
また、外歯１４１は、傾斜角（θ２）が約４５度で、第１斜面Ｓ１と平行なポール１４０の第２斜面Ｓ２上に形成されている。
上記構成のリクライニング装置の作動を説明する。通常は、スパイラルスプリング１９１，１９５の付勢力により、カム１７０がポール１４０，１５０の背面を押し、ポール１４０，１５０の外歯１４１，１５１がラチェット１３０の内歯１３３に噛合し、ラチェット(シートバック)１３０の回転が禁止されている(ロック状態)。
【００３４】
ここで、ピン１２０を回転させ、図５において、スパイラルスプリング１９１，１９５の付勢力に抗して、カム１７０を時計方向に回転させると、カム１７０のポール１４０，１５０の背面への押圧が解除されるとともに、レリーズプレート１８０の凸部１８３，１８４がポール１４０，１５０のカム溝１４４，１５４に案内されて、ポール１４０，１５０の外歯１４１，１５１がラチェット１３０の内歯１３３より離れる方向にポール１４０，ポール１５０は後退し、ポール１４０，１５０の外歯１４１，１５１とラチェット１３０の内歯１３３との噛合が解除され、ラチェット(シートバック)１３０は、傾動可能となる(アンロック状態)。
【００３５】
シートバックを所望の角度まで傾動させ、ピン１２０への操作力を解除すると、スパイラルスプリング１９１，１９５の付勢力により、カム１７０がポール１４０，１５０の背面を押し、ポール１４０，１５０の外歯１４１，１５１がラチェット１３０の内歯１３３に再び噛合し、ラチェット(シートバック)１３０の回転が禁止された状態に復帰する。
【００３６】
このような構成によれば、以下のような効果を得ることができる。
(1) 内歯１３３は、傾斜角（θ１）が約４５度で、ラチェット１３０から、ラチェット１３０（アッパアーム）の回転中心軸（ピン１２０）に沿って離れるに従って、回転中心軸からの距離が長くなる第１斜面Ｓ１上に形成されていることにより、内歯１３３をプレス加工により形成する場合、従来のように、アッパアームの回転中心軸と平行な面に内歯を形成する場合に比べて、つなぎ部（図１のＴ部）が薄くならないで、内歯１３０の歯幅（図１のＨ寸法）を広くとることが可能となる。
【００３７】
そして、外歯１４１は、傾斜角（θ２）が約４５度で、第１斜面Ｓ１と平行なポール１４０の第２斜面Ｓ２上に形成されていることにより、内歯１３３と外歯１４１との噛み合い強度が高く、つなぎ部での強度も低下しないリクライニング装置となる。
【００３８】
(2) プレス加工で内歯１３３を形成する場合、傾斜面を作るようなプレス加工であるので、プレス加工性がよい。
(3) 同じ噛み合い強度ならば、従来よりもリクライニング装置の薄型化が図れる。
【００３９】
尚、本発明は上記形態例に限定されるものではない。例えば、シートクッション側のフレーム２０１に、ラチェット１３０をロアアームとして取り付け、シートバック側のアッパアーム２０２に、ベースプレート１００を取り付けるようにしてもよい。
【図面の簡単な説明】
【００４０】
【図１】形態例のリクライニング装置の発明部分を示す斜視図である。
【図２】形態例のリクライニング装置の外観を示す図である。
【図３】図２の切断線Ｃ−Ｃでの断面図である。
【図４】図２の切断線Ｅ−Ｅでの断面図である。
【図５】図４のレリーズプレートを取り除いた図である。
【図６】従来のリクライニング装置の一部破断図である。
【図７】図６の切断線Ａ−Ａでの断面図である。
【図８】図７の切断線Ｂ−Ｂでの断面図である。
【符号の説明】
【００４１】
１２０  ピン
１３０  ラチェット
１３３  内歯
１４０，１５０  ポール
１４１，１５１  外歯
Ｓ１  第１斜面
Ｓ２  第２斜面
【図１】
2010035975.tif 000003
【図２】
2010035975.tif 000004
【図３】
2010035975.tif 000005
【図４】
2010035975.tif 000006
【図５】
2010035975.tif 000007
【図６】
2010035975.tif 000008
【図７】
2010035975.tif 000009
【図８】
2010035975.tif 000010